(57)【要約】【課題】  電話機能を備えた通信装置において、着信履歴情報として記録された個々の着信について、その電話の重要性あるいは緊急性を判断することができる通信装置を提供する。【解決手段】  電話機能および着信履歴記録機能を備えた通信装置において、リンギング回数を計測するリンギング回数計測部３と、着信履歴を記憶しておく不揮発性メモリ４とを備え、着信時に、リンギング回数計測部３がリンギング回数を計測し、通信制御部２が相手の電話番号を取得し、主制御部１が、リンギング回数計測部３により計測された各着信時のリンギング回数と通信制御部２により取得された各着信時の相手の電話番号とを対応付けて不揮発性メモリ４に書き込む構成にした。【選択図】  図１
2006166490.tif 000002
【特許請求の範囲】
【請求項１】
電話機能および着信履歴記録機能を備えた通信装置において、着信時にリンギング回数を計測するリンギング回数計測手段と、着信時に相手の電話番号を取得する電話番号取得手段と、着信履歴を記憶しておく着信履歴記憶手段と、前記リンギング回数計測手段により計測された各着信時のリンギング回数と前記電話番号取得手段により取得された各着信時の相手の電話番号とを対応付けて前記着信履歴記憶手段に書き込む着信履歴記録手段とを備えたことを特徴とする通信装置。
【請求項２】
電話機能および着信履歴記録機能を備えた通信装置において、着信時にリンギング持続時間を計測するリンギング時間計測手段と、着信時に相手の電話番号を取得する電話番号取得手段と、着信履歴を記憶しておく着信履歴記憶手段と、前記リンギング時間計測手段により計測された各着信時のリンギング持続時間と前記電話番号取得手段により取得された各着信時の相手の電話番号とを対応付けて前記着信履歴記憶手段に書き込む着信履歴記録手段とを備えたことを特徴とする通信装置。
【請求項３】
請求項１または請求項２記載の通信装置において、着信に対して応答した場合、着信履歴を記録しないように着信履歴記録手段を構成したことを特徴とする通信装置。
【請求項４】
請求項３記載の通信装置において、留守録手段を備え、前記留守録手段により留守録が行われたと判定された場合、着信履歴を記録しないように着信履歴記録手段を構成したことを特徴とする通信装置。
【請求項５】
請求項３記載の通信装置において、留守録手段を備え、前記留守録手段により無音でない留守録が行われたと判定された場合、着信履歴を記録しないように着信履歴記録手段を構成したことを特徴とする通信装置。
【発明の詳細な説明】
【技術分野】
【０００１】
本発明は、携帯電話機を含む電話機や電話機能を備えた情報機器など通信装置であって、且つ着信履歴記録機能を備えた通信装置に係わり、特に、それぞれの着信が重要な用件であったか否かを知ることができる通信装置に関する。
【背景技術】
【０００２】
近年、ＰＨＳを含む携帯電話機、発信者番号通知サービスを受けることができる電話機、留守番電話（留守録）機能を備えた電話機など、各種電話機が広く普及するに至っている。また、電話機能とデータ通信機能を備えた通信装置なども提供されるようになった。また、前記携帯電話機や発信者番号通知サービスを受けることができる電話機のなかには、相手の電話番号、着信日時、当方が応答したか否かというような情報を着信履歴情報として記録しておくことができる電話機もある。これにより、単に履歴を取るというだけでなく、当方が応答しなかった相手に対して、その後、当方から電話をかけたりすることが可能になる。
例えば、小型の不揮発性記憶手段と液晶ディスプレイなど小型の表示装置を備え、留守時や電話に出られないときなどに１件または複数件の着信履歴情報を不揮発性記憶手段に記憶（記録）させ、その後、記憶されている着信履歴情報を表示装置に表示させ、相手の電話番号などを知ることにより当方が応答しなかった相手に対して電話をかけるわけである。
【発明の開示】
【発明が解決しようとする課題】
【０００３】
しかしながら、前記の従来技術においては、着信履歴情報として記録された個々の着信について、その電話の重要性あるいは緊急性を判断することができないという問題があった。時間がなくて、着信のあったうちの一部の相手にしか電話をかけられないとき、どの相手を優先して電話すればよいかわからないのである。
本発明の課題は、このような従来技術の問題を解決し、電話機能を備えた通信装置において、着信履歴情報として記録された個々の着信について、その電話の重要性あるいは緊急性を判断することができる通信装置を提供することにある。
【課題を解決するための手段】
【０００４】
前記の課題を解決するために、請求項１記載の発明では、電話機能および着信履歴記録機能を備えた通信装置において、着信時にリンギング回数を計測するリンギング回数計測手段と、着信時に相手の電話番号を取得する電話番号取得手段と、着信履歴を記憶しておく着信履歴記憶手段と、前記リンギング回数計測手段により計測された各着信時のリンギング回数と前記電話番号取得手段により取得された各着信時の相手の電話番号とを対応付けて前記着信履歴記憶手段に書き込む着信履歴記録手段とを備えた。
また、請求項２記載の発明では、電話機能および着信履歴記録機能を備えた通信装置において、着信時にリンギング持続時間を計測するリンギング時間計測手段と、着信時に相手の電話番号を取得する電話番号取得手段と、着信履歴を記憶しておく着信履歴記憶手段と、前記リンギング時間計測手段により計測された各着信時のリンギング持続時間と前記電話番号取得手段により取得された各着信時の相手の電話番号とを対応付けて前記着信履歴記憶手段に書き込む着信履歴記録手段とを備えた。
また、請求項３記載の発明では、請求項１または請求項２記載の発明において、着信に対して応答した場合、着信履歴を記録しないように着信履歴記録手段を構成した。
また、請求項４記載の発明では、請求項３記載の発明において、留守録手段を備え、前記留守録手段により留守録が行われたと判定された場合、着信履歴を記録しないように着信履歴記録手段を構成した。
また、請求項５記載の発明では、請求項３記載の発明において、留守録手段を備え、前記留守録手段により無音でない留守録が行われたと判定された場合、着信履歴を記録しないように着信履歴記録手段を構成した。
上記のように構成したので、請求項１記載の発明では、各着信時に、リンギング回数が計測され、また、相手の電話番号が取得され、前記リンギング回数と相手の電話番号とが対応付けられて着信履歴記憶手段に書き込まれる。
請求項２記載の発明では、各着信時に、リンギング持続時間が計測され、また、相手の電話番号が取得され、前記リンギング持続時間と相手の電話番号とが対応付けられて着信履歴記憶手段に書き込まれる。
請求項３記載の発明では、請求項１または請求項２記載の発明において、着信に対して応答した場合は、着信履歴が記録されない。
請求項４記載の発明では、請求項３記載の発明において、留守録が行われた場合は、着信履歴が記録されない。
請求項５記載の発明では、請求項３記載の発明において、無音でない留守録が行われた場合は、着信履歴が記録されない。
【発明の効果】
【０００５】
本発明によれば、請求項１記載の発明では、各着信時に、リンギング回数が計測され、また、相手の電話番号が取得され、前記リンギング回数と相手の電話番号とが対応付けられて着信履歴記憶手段に書き込まれるので、着信時に応答できなかった個々の着信について、リンギング回数の多かった着信を重要性大あるいは緊急性大の着信と判断することにより、その着信の発信者に対して優先的に電話をかけることができる。
また、請求項２記載の発明では、各着信時に、リンギング持続時間が計測され、また、相手の電話番号が取得され、前記リンギング持続時間と相手の電話番号とが対応付けられて着信履歴記憶手段に書き込まれるので、着信時に応答できなかった個々の着信について、リンギング持続時間の長かった着信を重要性大あるいは緊急性大の着信と判断することにより、その着信の発信者に対して優先的に電話をかけることができる。
また、請求項３記載の発明では、請求項１または請求項２記載の発明において、着信に対して応答した場合は、着信履歴が記録されないので、記録される着信履歴情報が少なくなり、不揮発性メモリを有効に用いることができるし、着信履歴情報を表示させる際、表示される着信履歴情報の数が少なくなる結果、着信履歴情報を見るのに要する時間が少なくて済む。
また、請求項４記載の発明では、請求項３記載の発明において、留守録が行われた場合は、着信履歴が記録されないので、記録される着信履歴情報がさらに少なくなり、不揮発性メモリをさらに有効に用いることができるし、着信履歴情報を表示させる際、表示される着信履歴情報の数がさらに少なくなる結果、着信履歴情報を見るのに要する時間がさらに少なくて済む。
また、請求項５記載の発明では、請求項３記載の発明において、無音でない留守録が行われた場合は、着信履歴が記録されないので、請求項４記載の発明の効果に加え、留守録もなく、着信履歴も記録されないという事態を避けることができる。
【発明を実施するための最良の形態】
【０００６】
以下、図面により本発明の実施の形態を詳細に説明する。
図１は本発明の第１の実施の形態を示す通信装置の構成ブロック図である。なお、図１は通信装置が携帯電話機やＰＨＳの場合で示している。図示したように、この実施の形態の通信装置は、プログラムを内蔵したＲＯＭおよびそのプログラムに従って動作するＣＰＵなどを有して、この通信装置全体を制御・管理する主制御部１、接続・切断制御を行ったり音声信号やデータを無線により送受信したりすると共に相手の電話番号を取得する電話番号取得手段としても動作する通信制御部２、通信制御部２を介して受信したリンギング信号のリンギング回数（鳴動回数）を計測するリンギング回数計測部（リンギング回数計測手段）３、前記リンギング回数および電話番号を含む受信履歴情報を記憶しておく着信履歴記憶手段などとして働く不揮発性メモリ（例えばフラッシュメモリ）４、マイクおよびスピーカを有して音声を入力したり出力したりする音声入出力部５、テンキーやファンクションキーなどを有して発信操作を行ったりする操作部６、着信履歴情報などを表示する表示部７、各種データを一時的に記憶しておくＲＡＭ８などを備えている。なお、普通の電話機の場合も通信制御部２内の構成が異なることを除いては同様の構成である。また、前記主制御部１は前記リンギング回数と前記電話番号とを対応付けて、他の着信履歴情報と共に不揮発性メモリ４に書き込む着信履歴記録手段としても働く。
【０００７】
図２に、本発明の第１の実施の形態の動作フローを示す。
以下、図２などに従って、この実施の形態の動作を説明する。この実施の形態の通信装置は回線側の提供する発信者番号通知サービスを受けており、着信時、まず、通信制御部２は回線側（基地局側）から送られてきた相手（発信者）の電話番号を受信し、取得する（Ｓ１）。そして、通信制御部２は相手の電話番号（発信者番号）を取得すると、取得した電話番号を主制御部１に渡す。続いて、通信制御部２は、回線側から送られてきたリンギング信号を受信すると、リンギング鳴動を開始させ、また、通信制御部２からリンギング信号を受け取ったリンギング回数計測部３はリンギング回数の計測を開始する（Ｓ２）。例えば、リンギング回数計測部３はリンギング信号を平滑化する平滑化回路とカウンタを備え、平滑化されたリンギング信号が信号あり状態の電圧レベルになる回数を前記カウンタで計数するのである。この後、この通信装置の音声入出力部５による利用者の応答がなく（Ｓ３でＮｏ）、また、発信者側の回線切断による呼び出し中止もない限り（Ｓ４でＮｏ）、リンギング信号の受信が続き、利用者が応答するか（Ｓ３でＹｅｓ）、発信者側が回線を切断すると（Ｓ４でＹｅｓ）、リンギング信号の受信が終わり、それに伴って、リンギング回数計測部３はリンギング回数の計測を終わりにする（Ｓ５）。そして、リンギング回数計測部３は計測したリンギング回数を主制御部１に渡し、主制御部１は、そのリンギング回数、および通信制御部２から取得した相手の電話番号、着信日時、当方が応答したか否かというような情報を着信履歴情報（データ）として不揮発性メモリ４に記憶する（Ｓ６）。なお、この後、利用者は一つまたは複数の着信履歴情報を表示部７に表示させ、表示された電話番号やリンギング回数などを参考に、必要に応じて相手側に電話する。
以上のように、第１の実施の形態によれば、着信履歴情報の一つとしてリンギング回数が相手の電話番号と共に記録されるので、着信時に応答できなかった個々の着信について、その電話の重要性あるいは緊急性を判断することができる。重要性あるいは緊急性のある電話であれば、発信者側は簡単には回線を切らないので、リンギング回数が大きくなると判断するわけである。
【０００８】
図３は、本発明の第２の実施の形態を示す通信装置要部の構成ブロック図である。図示したように、この実施の形態の通信装置では、図１に示した第１の実施の形態のリンギング回数計測部３の代わりにリンギング時間計測部（リンギング時間計測手段）９を備える。
図４に、本発明の第２の実施の形態の動作フローを示す。以下、図４などに従って、この実施の形態の動作を説明する。まず、通信制御部２が回線側（基地局側）から送られてきた相手（発信者）の電話番号を受信し、取得する（Ｓ１１）。そして、相手の電話番号（発信者番号）を取得すると、通信制御部２は取得した電話番号を主制御部１に渡す。続いて、通信制御部２は、回線側から送られてきたリンギング信号を受信すると、リンギング鳴動を開始させ、通信制御部２からリンギング信号を受け取ったリンギング時間計測部９はリンギング持続時間の計測を開始する（Ｓ１２）。例えば、リンギング時間計測部９はタイマを備え、リンギング信号を検出するとそのタイマを動作させ、リンギング信号が所定時間以上受信されなくなったときにタイマを止めてリンギング時間を計測するのである。この後、この通信装置の音声入出力部５による利用者の応答がなく（Ｓ１３でＮｏ）、また、発信者側の回線切断による呼び出し中止もない限り（Ｓ１４でＮｏ）、リンギング信号の受信が続き、利用者が応答するか（Ｓ１３でＹｅｓ）、発信者側が回線を切断すると（Ｓ１４でＹｅｓ）、リンギング信号の受信が終わり、それに伴って、リンギング時間計測部９はリンギング持続時間の計測を終わりにする（Ｓ１５）。そして、リンギング時間計測部９は計測したリンギング持続時間を主制御部１に渡し、主制御部１は、そのリンギング持続時間、および通信制御部２から取得した相手の電話番号、着信日時、当方が応答したか否かというような情報を着信履歴情報（データ）として不揮発性メモリ４に記憶する（Ｓ１６）。なお、この後、利用者は一つまたは複数の着信履歴情報を表示部７に表示させ、表示された電話番号やリンギング持続時間などを参考に、必要に応じて相手側に電話する。
以上のように、第２の実施の形態によれば、着信履歴情報の一つとしてリンギング持続時間が相手の電話番号と共に記録されるので、個々の着信について、その電話の重要性あるいは緊急性を判断することができる。重要性あるいは緊急性のある電話であれば、発信者側は簡単には回線を切らないので、リンギング持続時間が大きくなると判断するわけである。
なお、第１および第２の実施の形態において、主制御部１はリンギング回数またはリンギング持続時間、および当方が応答したか否かを示す応答情報を取得したとき、その応答情報が応答したことを示していたならば、このときの着信履歴情報については有用性が半減するので、その着信履歴情報を記憶しないようにしてもよい。このようにした場合は、記憶される着信履歴情報が少なくなるので、不揮発性メモリを有効に用いることができるし、着信履歴情報を表示させる際、表示される着信履歴情報の数が少なくなる結果、着信履歴情報を見るのに要する時間が少なくて済む。
【０００９】
本発明の第３の実施の形態では、留守録手段を備え、当方が着信時に応答した場合、および留守録手段により留守録が行われた場合は、着信履歴を記録しないようにした。なお、前記留守録手段は主制御部１、通信制御部２および不揮発性メモリ４などから構成される。
図５に、本発明の第３の実施の形態の動作フローを示す。以下、図５などに従って、この実施の形態の動作を説明する。まず、通信制御部２が回線側（基地局側）から送られてきた相手（発信者）の電話番号を受信し、取得する（Ｓ２１）。そして、相手の電話番号（発信者番号）を取得すると、通信制御部２は取得した電話番号を主制御部１に渡す。続いて、通信制御部２は、回線側から送られてきたリンギング信号を受信すると、リンギング鳴動を開始させ、通信制御部２からリンギング信号を受け取ったリンギング回数計測部３またはリンギング時間計測部９はリンギング回数またはリンギング持続時間の計測を開始する（Ｓ２２）。この後、この通信装置の音声入出力部５による利用者の応答がなく（Ｓ２３でＮｏ）、発信者側の回線切断による呼び出し中止もなく（Ｓ２４でＮｏ）、また、リンギング回数が所定回数にも達しない限り（Ｓ２５でＮｏ）、リンギング信号の受信が続き、利用者が応答すると（Ｓ２３でＹｅｓ）、リンギング回数またはリンギング持続時間の計測を終了させ（Ｓ２８）、この時点でこの動作フローを終了させる。
【００１０】
それに対して、発信者側が回線を切断した場合は（Ｓ２４でＹｅｓ）、リンギング信号の受信が終わることによって、まず、リンギング回数計測部３またはリンギング時間計測部９がリンギング回数またはリンギング持続時間の計測を終わりにする（Ｓ２９）。そして、計測したリンギング回数またはリンギング持続時間を主制御部１に渡し、主制御部１は、そのリンギング回数またはリンギング持続時間、および通信制御部２から取得した相手の電話番号、着信日時などを着信履歴情報（データ）として不揮発性メモリ４に記憶する（Ｓ３０）。また、ステップＳ２５においてリンギング回数が予め設定した所定回数に達したと判定されたならば（Ｓ２５でＹｅｓ）、まず、リンギング回数またはリンギング持続時間の計測を終わりにする（Ｓ２６）。そして、主制御部１は、予めディジタル化して不揮発性メモリ４に記憶しておいた、留守録として録音する音声メッセージの入力を発信者に求める内容の音声メッセージ（音声データ）を読み出し、通信制御部２によりその音声メッセージをアナログ音声信号に変換し相手側に送る。そして、相手側から録音する音声メッセージが送られてくると、その音声メッセージを通信制御部２においてディジタル化し、主制御部１がディジタル化された音声データを留守録として不揮発性メモリ４に記憶する（Ｓ２７）。
以上のように、第３の実施の形態によれば、着信履歴情報の一つとしてリンギング回数またはリンギング持続時間が相手の電話番号と共に記録されるので、個々の着信について、その電話の重要性あるいは緊急性を判断することができるし、呼び出し中に相手側が電話を切ったときのみ着信履歴情報が記録されるので、記憶される着信履歴情報がさらに少なくなり、不揮発性メモリをさらに有効に用いることができるし、着信履歴情報を表示させる際、表示される着信履歴情報の数がさらに少なくなるので、着信履歴情報を見るのに要する時間がさらに少なくて済む。
【００１１】
本発明の第４の実施の形態では、第３の実施の形態の構成に加えて、図６に示した通信装置要部のように無音検出部１０を備え、この無音検出部１０が、留守録時に音声メッセージが実際に録音されたか否かを検出し、留守録が行われても、実際には音声メッセージが録音されなかった（無音であった）と判定されたならば、このときの着信履歴を記録するようにする。
図７に、無音検出部１０の詳細を示す。図７において、符号ａは回線側（基地局側）より受信した電波信号から搬送波を取り除いた音声信号であり、この信号ａをローパスフィルタ１１に入力させて雑音を取り除き、さらに、全波整流回路１２に入力させて負電圧部分を反転させ、平滑化回路１３により平滑化する。こうして、電圧比較回路１４の一方の端子には音声信号の大きさ（絶対値）に比例したレベルの直流電圧信号ｂが入力されるので、この信号ｂを基準電圧ｃと比較させ、信号ｂが基準電圧ｃより大きいとき信号ｄが出力されるようにする。そして、ＡＮＤゲート１５に、主制御部１より与えられた留守録時にハイレベルになる信号ｅと前記信号ｄを入力させると、留守録時に所定値以上の大きさの音声信号が入力されると、信号ｆがハイレベルになり、そうでない無音状態であれば信号ｆがローレベルのままであるので、信号ｆのレベルにより無音状態か否かを判定することができる。
このように、第４の実施の形態によれば、たとえこの通信装置が留守録状態になっても実際に発信側から音声信号が送られてこなければ着信履歴が記録されるので、留守録もなく、着信履歴も記録されないという事態を避けることができる。
以上、発信者番号通知サービスが標準装備の機能であるＰＨＳを含む携帯電話機の場合について説明したが、発信者番号通知サービスがオプション機能である普通の電話機であっても、そのサービスを受けられるようにすることにより、同様に本発明を実施することが可能である。
【図面の簡単な説明】
【００１２】
【図１】本発明の第１の実施の形態を示す通信装置の構成ブロック図である。
【図２】本発明の第１の実施の形態を示す通信装置の動作フロー図である。
【図３】本発明の第２の実施の形態を示す通信装置要部の構成ブロック図である。
【図４】本発明の第２の実施の形態を示す通信装置の動作フロー図である。
【図５】本発明の第３の実施の形態を示す通信装置の動作フロー図である。
【図６】本発明の第４の実施の形態を示す通信装置要部の構成ブロック図である。
【図７】本発明の第４の実施の形態を示す通信装置要部の詳細ブロック図である。
【符号の説明】
【００１３】
１：主制御部、２：通信制御部、３：リンギング回数計測部、４：不揮発性メモリ、５：音声入出力部、７：表示部、９：リンギング時間計測部、１０：無音検出部
【図１】
2006166490.tif 000003
【図２】
2006166490.tif 000004
【図３】
2006166490.tif 000005
【図４】
2006166490.tif 000006
【図５】
2006166490.tif 000007
【図６】
2006166490.tif 000008
【図７】
2006166490.tif 000009